(57)【特許請求の範囲】
【請求項１】
展示対象物が載置される載置面を有する載置板の対向する一対の辺を折り線として、この折り線を介して折り曲げ自在にそれぞれ連接された背面板及び底板と、他の対向する一対の辺を折り線として、この折り線を介して折り曲げ自在にそれぞれ連接された側面板と、
前記背面板、前記底板、及び前記側面板が所定の位置に折り曲げられた状態で、当該背面板、当該底板及び当該側面板を脱着自在に連結する連結手段と、を備え、
前記載置面が外部へ露出される方向へ、前記背面板、前記底板、及び前記側面板を折り曲げて、前記連結手段によって連結する展示状態と、
前記載置面が内部へ収納される方向へ、前記背面板、前記底板、及び前記側面板を折り曲げて、前記連結手段によって連結する収納状態と、
を転換自在とした包装箱であって、
前記包装箱は、収納状態において、前記載置面上に配置され、前記載置板と、底板及び背面板と、の間に収納され、前記展示対象物の情報が表示されるパネルを備え、
前記パネルは、
展示状態において前記載置面後方に起立して配置される背板と、この背板の左右両端部が背面側に折り曲げられて断面が多角形状に形成され、前記背板を起立させるための支持部と、を具備し、
前記パネルは、背板の下端部に折り曲げ自在に連接された固定片を備え、当該固定片は、展示状態において、前記底板の下に挿入されることを特徴とする包装箱。
【請求項２】
展示対象物が載置される載置面と、少なくとも４辺を有する載置板の１つの辺を第１の折り線とし、この第１の折り線を介して折り曲げ自在に連接される背面板と、
前記第１の折り線と対向する辺を第２の折り線とし、この第２の折り線を介して折り曲げ自在に連接される底板と、
残りの一対の互いに対向する辺をそれぞれ第３の折り線及び第４の折り線とし、この第３の折り線及び第４の折り線を介して折り曲げ自在にそれぞれ連接される側面板と、
前記背面板、前記底板、及び前記側面板が所定の位置に折り曲げられた状態で、当該背面板、当該底板及び当該側面板を脱着自在に連結する連結手段と、
を備え、
前記載置面が外部へ露出される方向へ、前記第１の折り線乃至前記第４の折り線を介して、前記背面板、前記底板、及び前記側面板を折り曲げ、前記連結手段によって連結する展示状態と、
前記背面板を所定の位置で２つに折り曲げる第５の折り線と、
前記底板を所定の位置で２つに折り曲げる第６の折り線と、
前記側面板をそれぞれ所定の位置で２つに折り曲げる第７の折り線及び第８の折り線と、
がそれぞれ形成され、
前記載置面が内部へ収納される方向へ、前記第１の折り線乃至前記第８の折り線を介して、前記背面板、前記底板、及び前記側面板を折り曲げ、前記連結手段によって連結する収納状態と、
を転換自在とした包装箱であって、
前記包装箱は、収納状態において、前記載置面上に配置され、前記載置板と、底板及び背面板と、の間に収納され、前記展示対象物の情報が表示されるパネルを備え、
前記パネルは、
展示状態において前記載置面後方に起立して配置される背板と、この背板の左右両端部が背面側に折り曲げられて断面が多角形状に形成され、前記背板を起立させるための支持部と、を具備し、
前記パネルは、背板の下端部に折り曲げ自在に連接された固定片を備え、当該固定片は、展示状態において、前記底板の下に挿入されることを特徴とする包装箱。
【請求項３】
請求項１又は２に記載の包装箱において、
前記展示状態では、前記背面板、前記底板、前記側面板を、載置板を斜面とする略三角形状となる位置まで折り曲げて、前記連結手段によって連結され、
前記収納状態では、背面板、底板、側面板を、略矩形の箱形状を示す位置まで折り曲げて、前記連結手段によって連結されることを特徴とする包装箱。
【発明の詳細な説明】
【技術分野】
【０００１】
本発明は、商品を収納する包装箱の技術分野に属し、より詳細には、商品の収納と、商品の展示に兼用される包装箱等の技術分野に関する。
【背景技術】
【０００２】
従来から、商品を収納する機能と、商品を展示する機能を兼ね備えた包装箱が提案されている。
【０００３】
特許文献１では、商品が収納される包装箱に収納可能に折畳まれる筒状スタンドに、当該包装箱の天面を閉鎖する上部フラップを外側に折り返し、当該筒状スタンドに載置して商品展示を行う包装箱についての技術が開示されている。
【０００４】
また、特許文献２では、蓋板を折り曲げて表示板とし、一方のフラップに形成された開口に物品を挿入して展示可能とする包装箱についての技術が開示されている。
【先行技術文献】
【特許文献】
【０００５】
【特許文献１】特開平９−３７９０２号公報
【特許文献２】特開平９−１１００３２号公報
【発明の概要】
【発明が解決しようとする課題】
【０００６】
このようにして展示される商品は、所定の展示期間が経過した後又は異なる場所に配送する必要性が生じた場合には、商品の信頼性維持の観点（例えば、耐防塵性及び耐衝撃性等の観点）等から、包装箱に収納されて保管又は配送されることが望ましい。この場合、包装箱を変形（折り曲げ、切断、組み立てを含む）して組み立てられることにより商品を展示する機能を備えた包装箱の状態から、商品を収納することができるもとの包装箱の状態へと戻す必要がある。
【０００７】
しかしながら、上記特許文献で開示される包装箱は、段ボールなどのブランクに形成された複数の差し込み片を、挿入口に挿入等することによって、商品が収納された包装箱から商品を展示する機能を備える包装箱へと組み立てられるようになっており、このような組み立てを繰り返し行った場合には、差し込み片や挿入口等がこすれ等の摩耗により劣化及び破損し、再度包装箱へ組み立てることが困難となる問題があった。
【０００８】
即ち、上記包装箱は、包装箱に商品が収納される収納状態から、包装箱によって商品を展示することができる展示状態へ、繰り返し組み立てて使用することが困難であるという問題があった。
【０００９】
そこで、本発明は、上記問題点に鑑みてなされたものであり、その目的の一例は、繰り返しの使用に耐えることができる商品の収納と商品の展示に兼用される包装箱等を提供することである。
【課題を解決するための手段】
【００１０】
上記課題を解決するために、請求項１に記載の発明は、展示対象物が載置される載置面（１ａ）を有する載置板（１）の対向する一対の辺を折り線（２）（４）として、この折り線（２）（４）を介して折り曲げ自在にそれぞれ連接された背面板（３）及び底板（５）と、他の対向する一対の辺を折り線（６）（８）として、この折り線（６）（８）を介して折り曲げ自在にそれぞれ連接された側面板（７）（９）と、背面板（３）、底板（５）、及び側面板（７）（９）が所定の位置に折り曲げられた状態で、背面板（３）、底板（５）、及び側面板（７）（９）を脱着自在に連結する連結手段（４１ａ）〜（４６ａ）（４１ｂ）〜（４６ｂ）と、を備え、載置面（１ａ）が外部へ露出される方向へ、背面板（３）、底板（５）、及び側面板（７）（９）を折り曲げ、連結手段（（４１ａ）〜（４６ａ）（４１ｂ）〜（４６ｂ）によって連結する展示状態と、載置面（１ａ）が内部へ収納される方向に、背面板（３）、底板（５）、及び側面板（７）（９）を折り曲げ、連結手段（４１ａ）〜（４６ａ）（４１ｂ）〜（４６ｂ）によって連結する収納状態と、を転換自在とした包装箱（Ｓ１）であって、前記包装箱は、収納状態において、前記載置面上に配置され、前記載置板と、底板及び背面板と、の間に収納され、前記展示対象物の情報が表示されるパネル（７０）を備え、前記パネルは、展示状態において前記載置面後方に起立して配置される背板（７１）と、この背板の左右両端部が背面側に折り曲げられて断面が多角形状に形成され、前記背板を起立させるための支持部（７４）と、を具備し、前記パネルは、背板の下端部に折り曲げ自在に連接された固定片（７６）を備え、当該固定片は、展示状態において、前記底板の下に挿入されることを特徴とする。
【００１１】
従って、一の包装箱において、商品が収納される収納状態と、商品が展示される展示状態を繰り返して使用することができる。
【００１２】
また、請求項２に記載の発明は、展示対象物が載置される載置面（１ａ）と、少なくとも４辺を有する載置板（１）の１つの辺を第１の折り線（２）とし、この第１の折り線（２）を介して折り曲げ自在に連接される背面板（３）と、第１の折り線（２）と対向する辺を第２の折り線（４）とし、この第２の折り線（４）を介して折り曲げ自在に連接される底板（５）と、残りの一対の互いに対向する辺をそれぞれ第３の折り線（６）及び第４の折り線（８）とし、この第３の折り線（６）及び第４の折り線（８）を介して折り曲げ自在にそれぞれ連接される側面板（７）（９）と、背面板（３）、底板（５）、及び側面板（７）（９）が所定の位置に折り曲げられた状態で、背面板（３）、底板（５）、及び側面板（７）（９）を脱着自在に連結する連結手段（４１ａ）〜（４６ａ）（４１ｂ）〜（４６ｂ）と、を備え、載置面（１ａ）が外部へ露出される方向へ、第１の折り線（２）乃至第４の折り線（８）を介して、背面板（３）、底板（５）、及び側面板（７）（９）を折り曲げ、連結手段（４１ａ）〜（４６ａ）（４１ｂ）〜（４６ｂ）によって連結する展示状態と、背面板（３）を所定の位置で２つに折り曲げる第５の折り線（１０）と、底板（５）を所定の位置で２つに折り曲げる第６の折り線（１１）と、側面板（７）（９）をそれぞれ所定の位置で２つに折り曲げる第７の折り線（１３）及び第８の折り線（１４）と、がそれぞれ形成され、載置面（１ａ）が内部へ収納される方向へ、第１の折り線（２）乃至第８の折り線（１４）を介して、背面板（３）、底板（５）、及び側面板（７）（９）を折り曲げ、連結手段（４１ａ）〜（４６ａ）（４１ｂ）〜（４６ｂ）によって連結する収納状態と、を転換自在とした包装箱であって、前記包装箱は、収納状態において、前記載置面上に配置され、前記載置板と、底板及び背面板と、の間に収納され、前記展示対象物の情報が表示されるパネル（７０）を備え、前記パネルは、展示状態において前記載置面後方に起立して配置される背板（７１）と、この背板の左右両端部が背面側に折り曲げられて断面が多角形状に形成され、前記背板を起立させるための支持部（７４）と、を具備し、前記パネルは、背板の下端部に折り曲げ自在に連接された固定片（７６）を備え、当該固定片は、展示状態において、前記底板の下に挿入されることを特徴とする。
【００１３】
従って、一の包装箱において、商品が収納される収納状態と、商品が展示される展示状態を繰り返して使用することができる。
【００１４】
請求項３に記載の発明は、請求項１又は２に記載の包装箱Ｓ１において、前記展示状態では、背面板（３）、底板（５）、側面板（７）（９）を、載置板（１）を斜面とする略三角形状となる位置まで折り曲げて、連結手段（４１ａ）〜（４６ａ）（４１ｂ）〜（４６ｂ）によって連結され、前記収納状態では、背面板（３）、底板（５）、側面板（７）（９）を、略矩形の箱形状を示す位置まで折り曲げて、連結手段（４１ａ）〜（４６ａ）（４１ｂ）〜（４６ｂ）によって連結されることを特徴とする。
【発明の効果】
【００１５】
以上のように、本発明における包装箱によれば、複数の折り線を介して連接された板状の部材を折り曲げて展示状態と収納状態を転換自在としたため、繰り返しの使用に耐えることができる商品の収納と商品の展示に兼用される包装箱を提供することができる。
【図面の簡単な説明】
【００１６】
【図１】本実施形態における包装箱Ｓ１の展示状態を示す斜視図である。
【図２】本実施形態における包装箱Ｓ１の収納状態を示す斜視図である。
【図３】包装箱Ｓ１のブランクを示す図である。
【図４】広告パネル７０のブランクを示す図である。
【図５】包装箱Ｓ１のブランクから展示状態への転換を段階的に示す模式図である。
【図６】包装箱Ｓ１のブランクから展示状態への転換を段階的に示す模式図である。
【図７】包装箱Ｓ１のブランクから展示状態への転換を段階的に示す模式図である。
【図８】包装箱Ｓ１の展示状態から収納状態への転換を段階的に示す模式図である。
【図９】包装箱Ｓ１の展示状態から収納状態への転換を段階的に示す模式図である。
【図１０】包装箱Ｓ１の展示状態から収納状態への転換を段階的に示す模式図である。
【図１１】包装箱Ｓ１の展示状態から収納状態への転換を段階的に示す模式図である。
【図１２】包装箱Ｓ２の連結手段として勘合部を適用した場合のブランクを示す図である。
【図１３】断面略台形を示す包装箱Ｓ３を示す斜視図である。
【発明を実施するための形態】
【００１７】
以下に、本願の最良の実施形態を添付図面に基づいて説明する。
【００１８】
［１.包装箱Ｓ１の概要］
まず、本実施形態における包装箱Ｓ１の概要について、図１及び図２を用いて説明する。図１は本実施形態における包装箱Ｓ１の展示状態を示す斜視図であり、図２は本実施形態における包装箱Ｓ１の収納状態を示す斜視図である。
【００１９】
この包装箱Ｓ１は、図１に示すように、載置面１ａに商品１００（本願の展示対象物の一例）が載置される展示状態と、図２に示すように、商品１００と広告パネル７０を収納する収納状態とに転換自在なものである。
【００２０】
展示状態では、商品１００を需要者（看者）から注視され易いように展示するために、載置面１ａ（図３に示す載置板１の表側の面）の上部には凸部２００及び凸部２０１が設けられたアクリル板１ｂ（アクリル樹脂製の透明の板であり、透過性を有する）が固定され、この凸部２００及び凸部２０１に、商品１００が係止される。そして、包装箱Ｓ１の後部には、商品１００の広告等の情報が表示される広告パネル７０が固定される。
【００２１】
収納状態では、商品１００及び広告パネル７０を保存又は輸送するために、商品１００及び広告パネル７０が内部に収納される。
【００２２】
［２.包装箱Ｓ１及び広告パネル７０のブランク］
次に、包装箱Ｓ１及び広告パネル７０のブランク（展開図）について、図３及び図４を用いて説明する。
【００２３】
包装箱Ｓ１のブランクは、図３に示す構成とされ、広告パネル７０のブランクは、図４に示す構成とされる。
【００２４】
ここで説明の便宜上、座標軸２００を定義する。座標軸２００において、Ｙ軸方向（紙面の鉛直方向）を総称して垂直方向と、Ｘ軸方向（紙面の水平方向）を水平方向と定義する。さらに、Ｙ軸の矢印が示す方向を上方と、これと対向する方向を下方と定義する。また、Ｘ軸の矢印が示す方向を右と、これと対向する方向を左と定義する。さらに、紙面側を表側と、紙面と対向する側を裏側と定義する。
【００２５】
図３に示すように、包装箱Ｓ１のブランクは、例えば、段ボール（例えば、ＪＩＳＺ１５１６等で規定されるもの）等の板状の部材を素材とし、主として載置板１（本願の載置板の一例）、背面板３（本願の背面板の一例）、底板５（本願の底板の一例）、側面板７（本願の側面板の一例）、及び側面板９（本願の側面板の一例）が折り線を介して連接されている。以下、板状の部材の一例として、段ボールを適用した場合について説明する。
【００２６】
そして、この包装箱Ｓ１のブランクは、段ボールを包装箱Ｓ１と略同じ形の金型（例えば、いわゆるビク型等）により打ち抜いて形成される。打ち抜かれる際に、図３における実線部分の切断が行われる。以下のブランクを示す図（図３、図４、及び図１２）において、特に示す場合を除き、実線部分は金型によって打ち抜いて形成されるものとする。
【００２７】
載置板１は、商品１００が載置される載置面１ａと、少なくとも４辺（後述する、折り線２、４、６及び８）を有する。本実施形態においては、載置板１は略矩形の形状を示し４つの辺を有している。なお、図１及び図２に示す例では、載置面１ａの表側に、凸部２００及び凸部２０１が設けられたアクリル板１ｂを固定する構成を採用しているが、図３のブランクにおいては、説明の便宜上これらの図示を省略する。
【００２８】
この４辺のうち１つの辺を第１の折り線２（本願の第１の折り線の一例）として、この第１の折り線２を介して背面板３が折り曲げ自在に連接される。
【００２９】
第１の折り線２は、段ボールを折り曲げ自在とするための処理が施されたものであり、例えば、段ボールから打ち抜かれて形成される包装箱Ｓ１に対して、筋付け（筋押し、又は筋入れ）等の各処理を施すことにより形成される（いわゆる罫線も含む）。
【００３０】
以下のブランクを示す図（図３、図４、及び図１２）において、他に示す折り線（例えば、後述する第２の折り線４等）は、特に示す場合を除き、図面中において点線で示し、上述した特性を有する。
【００３１】
背面板３には、第５の折り線１０（本願の第５の折り線の一例）が形成される。この第５の折り線１０によって、背面板３は、上部３ａと下部３ｂに折り曲げ自在とされる（即ち、所定の位置で２つに折り曲げられる）。
【００３２】
背面板３の裏側には、面ファスナー４１ａ、４１ｃ、４２ａ、及び４２ｃが固定される。この固定方法は任意に選択でき、テープ、糊、接着材による貼付でもよい。
【００３３】
詳しくは後述するが、本実施形態における各面ファスナーは、本願の連結手段として機能し、所定の位置に折り曲げられた背面板３と底板５等を連結するために用いられる。そこで、以下のブランクを示す図（図３、図４、及び図１２）において、相互に連結する面ファスナーを、それぞれ同一の数字を付した部材番号で示すこととする。例えば、図３に示す例では、面ファスナー４１ａと面ファスナー４１ｂは相互に連結することを意味する。
【００３４】
また、ブランクを示す図（図３、図４、及び図１２）において、表側に固定される面ファスナーは、一点鎖線で記した外形にハッチングを施して示すものとし、裏側に固定される面ファスナーは、一点鎖線で記した外形で示すものとする。
【００３５】
上部３ａの左辺（左端縁）には、折り線２０を介して固定片２１が連接される。
【００３６】
この折り線２０は、上述した折り線が互いに平行に２本形成されたものであり、一般的に２本罫と称される。この２本罫は、段ボールを折り曲げて面接触させる際（１８０°折り曲げる際）に形成される罫線であり、折り線２０によって、固定片２１は背面板３と面接触自在に折り曲げられる。なお、通常の折り線でも段ボールを折り曲げて面接触させることは可能である。しかし、段ボールに２本罫が形成されると、例えば、２本罫が形成された反対側の面に印刷処理が施されている段ボールを折り曲げた場合に、当該印刷面に加えられる曲げ応力等が低減され、当該印刷の剥がれ等を防止できるという利点がある。
【００３７】
以下のブランクを示す図（図３、図４、及び図１２）において、他に示す折り線のうち２本罫が形成されるもの（例えば後述する折り線２２等）は、特に示す場合を除き、図面中において２本の平行する点線で示し、上述した特性を有することとする。
【００３８】
そして、固定片２１の表側には、面ファスナー４３ａが固定される。
【００３９】
上部３ａの右辺（右端縁）には、折り線２２を介して固定片２３が連接される。そして、固定片２３の表側には、面ファスナー４５ａが固定される。
【００４０】
下部３ｂの左右両辺（左右両端縁）には、折り線２４及び折り線２６を介して、折り込み片２５及び折り込み片２７がそれぞれ連接される。この折り込み片２５及び折り込み片２７は、底板５の強度を増加させるためのものである。
【００４１】
第１の折り線２と対向する辺を第２の折り線４（本願の第２の折り線の一例）とし、第第２の折り線４を介して、底板５が折り曲げ自在に連接される。なお、第１の折り線２と第２の折り線４は、本願の対向する一対の辺の一例としても機能する。
【００４２】
底板５には、第６の折り線１１（本願の第６の折り線の一例）が形成される。この第６の折り線１１によって、底板５は、上部５ａと下部５ｂに折り曲げ自在とされる（即ち、所定の位置で２つに折り曲げられる）。
【００４３】
上部５ａの下方の辺には、折り線１２を介して固定片２８が連接される。そして、固定片２８の表側には、面ファスナー４２ｂ及び面ファスナー４１ｂが固定される。
【００４４】
上部５ａの左辺には、折り線２９を介して固定片３０が連接される。そして、固定片３０の表側には、面ファスナー４４ｂが固定される。
【００４５】
上部５ａの右辺には、折り線３１を介して固定片３２が連接される。そして、固定片３２の表側には、面ファスナー４６ｂが固定される。
【００４６】
下部５ｂの左右両辺には、折り線３３及び折り線３５を介して、折り込み片３４及び折り込み片３６がそれぞれ連接される。この折り込み片３４及び折り込み片３６は、底板５の強度を増加させるためのものである。
【００４７】
載置板１の４つの辺のうち、残りの一対の互いに対向する辺をそれぞれ第３の折り線６（本願の第３の折り線の一例）及び第４の折り線８（本願の第４の折り線の一例）として、この第３の折り線６を介して、側面板７が折り曲げ自在に連接される。また、第４の折り線８を介して、側面板９が折り曲げ自在に連接される。なお、第３の折り線６と第４の折り線８は、本願の他の対向する一対の辺の一例としても機能する。
【００４８】
側面板７には、第７の折り線１３（本願の第７の折り線の一例）が形成される。この第７の折り線１３によって、側面板７は、上部７ａと下部７ｂに折り曲げ自在とされる（即ち、所定の位置で２つに折り曲げられる）。そして、上部７ａの裏側には、面ファスナー４５ｂ及び面ファスナー４６ａが固定される。
【００４９】
側面板９には、第８の折り線１４（本願の第８の折り線の一例）が形成される。この第８の折り線１４によって、側面板９は、上部９ａと下部９ｂに折り曲げ自在とされる（即ち、所定の位置で２つに折り曲げられる）。そして、上部９ａの裏側には、面ファスナー４３ｂ及び面ファスナー４４ａが固定される。
【００５０】
また、図４に示すように、広告パネル７０のブランクは、紙、上質紙、段ボールやＰＥＴ材等の薄型樹脂製板材等の折り曲げ自在の板状の部材を素材とし、背板７１に支持部７２、支持部７４、固定片７６が折り線７７を介して連接されている。そして、この広告パネル７０のブランクは、上述した板状の部材を、このブランクと略同じ形の金型により打ち抜いて形成される。打ち抜かれる際に、図４における実線部分の切断が行われる。背板７１の左辺には、折り線７３ａ〜７３ｃを介して、折り曲げ片７２ａ〜７２ｃが順次連接されている。そして、背板７１の右辺には、折り線７５ａ〜７５ｃを介して、折り曲げ片７４ａ〜７４ｃが順次連接されている。
【００５１】
このようなブランクから広告パネル７０を組み立てる方法の一例としては、まず、支持部７２を形成すべく、折り曲げ片７２ａ〜７２ｃを、折り線７３ａ〜７３ｃの部位で横断面略三角状に折り曲げて、折り曲げ片７２の表側を背板７１の裏側へ固定（例えば、貼着等）する。次に、支持部７４を形成すべく、折り曲げ片７４ａ〜７４ｃを、折り線７５ａ〜７５ｃの部位で横断面略三角状に折り曲げて、折り曲げ片７４の表側を背板７１の裏側へ固定する。そして、折り線７７で折り曲げられた固定片７６を、包装箱Ｓ１の底板５の下部へ挿入又は固定する。
【００５２】
［３.包装箱Ｓ１の使用状態］
１）展示状態への転換
図３に示す包装箱Ｓ１のブランクから図１に示す展示状態への転換について、さらに図５〜図７を用いて説明する。図５〜図７は、包装箱Ｓ１のブランクから展示状態への転換を段階的に示す模式図である。
【００５３】
包装箱Ｓ１のブランクから展示状態へ転換するためには、載置面１ａが外部へ露出される方向へ（載置面１ａが外部から視認できるように）、第１の折り線２乃至前記第４の折り線８を介して、背面板３、底板５、側面板７及び側面板９を折り曲げる。そして、背面板３、底板５、側面板７及び側面板９を、載置板１を斜面（斜辺）とする略三角形状となる位置（本願の所定の位置の一例）まで折り曲げて、固定片２１、２３、２８、３０、３２、側面板７、及び側面板９に、固定された面ファスナー４１ａ〜４６ａ、４１ｂ〜４６ｂによって連結する。
【００５４】
さらに詳細に説明すると、まず、図５に示すように、折り込み片３４及び折り込み片３６を、下部５ｂの裏側に面接触するまで折り曲げつつ（図５の符号なし矢印参照）、底板５を、第２の折り線４を介して、載置面１ａが外部へ露出される方向（図５の矢印Ａの方向）へ折り曲げる。
【００５５】
図６には、底板５が、第２の折り線４を介して、載置面１ａが外部へ露出される方向へ折り曲げられた様子が示されている。
【００５６】
そして、図６に示すように、折り込み片２５及び折り込み片２７を、下部３ｂの裏側に面接触するまで折り曲げつつ（図６の符号なし矢印参照）、背面板３を、第１の折り線２を介して、載置面１ａが外部へ露出される方向（図６の矢印Ｂの方向）へ折り曲げる。そして、固定片２８を、折り線１２を介して矢印Ｃの方向へ折り曲げて、面ファスナー４１ａと面ファスナー４１ｂ、及び、面ファスナー４２ａと面ファスナー４２ｂを相互に連結させる。この連結によって、背面板３と底板５が、着脱自在に連結される。
【００５７】
図７には、背面板３と底板５が着脱自在に連結された様子が示されている。
【００５８】
そして、図７に示すように、側面板７（又は側面板９の何れが先、又は同時でも構わない）を、第３の折り線６を介して、載置面１ａが外部へ露出される方向（図７の矢印Ｄの方向）へ折り曲げて、面ファスナー４５ａと面ファスナー４５ｂ、及び、面ファスナー４６ａと面ファスナー４６ｂを相互に連結させる。この連結によって、側面板７は、底板５及び背面板３と、着脱自在に連結される。
【００５９】
次いで、側面板９を、第４の折り線８を介して、載置面１ａが外部へ露出される方向（図７の矢印Ｄの方向）へ折り曲げて、面ファスナー４３ａと面ファスナー４３ｂ、及び面ファスナー４４ａと面ファスナー４４ｂを相互に連結させる。この連結によって、側面板９は、底板５及び背面板３と着脱自在に連結される。
【００６０】
そして、折り線７７で折り曲げられた背面パネル７０の固定片７６を、背面板３へ当接させ（図７の矢印Ｅ方向へ近接させ）、固定片７６を底板５の下部へ挿入又は固定する。
【００６１】
以上の手順により、包装箱Ｓ１のブランクを展示状態へ転換させることができる。
【００６２】
なお、展示状態への転換の手順は上述した例に限定されず、任意に行うことができる。例えば、上述した例では底板５を先に折り曲げたが、背面板３を先に折り曲げて展示状態へ転換するようにしてもよい。
【００６３】
２）展示状態から収納状態への転換
次に、図１に示す展示状態から図３に示す収納状態への転換について、さらに図８〜図１１を用いて説明する。
【００６４】
図８〜図１１は、包装箱Ｓ１の展示状態から収納状態への転換を段階的に示す模式図である。
【００６５】
展示状態から収納状態へ転換するためには、載置面１ａが内部へ収納される方向へ、第１の折り線２乃至第８の折り線１４を介して、背面板３、底板５、側面板７及び側面板９をそれぞれ折り曲げる。そして、背面板３、底板５、側面板７及び側面板９を、略矩形の箱形状を示す位置（本願の所定の位置の一例）まで折り曲げて、固定片２１、２３、２８、３０、３２又は側面板７、側面板９に固定された面ファスナー４１ａ〜４６ａ、４１ｂ〜４６ｂによって連結する。
【００６６】
さらに詳細に説明すると、まず、図８に示すように、側面板７（又は側面板９の何れが先、又は同時でも構わない）を、第３の折り線６を介して、載置面１ａが内部へ収納される方向（図８の矢印Ｆの方向）へ折り曲げて、面ファスナー４５ａと面ファスナー４５ｂ、及び面ファスナー４６ａと面ファスナー４６ｂを剥離する（連結状態を解除する）。この剥離によって、側面板７は、底板５及び背面板３から分離（解放）される。
【００６７】
そして、側面板９を、第４の折り線８を介して、載置面１ａが内部へ収納される方向（図８の矢印Ｆの方向）へ折り曲げて、面ファスナー４３ａと面ファスナー４３ｂ、及び面ファスナー４４ａと面ファスナー４４ｂを剥離する。
【００６８】
次に、広告パネル７０を取り外す（矢印Ｇの方向へ移動する）。
【００６９】
そして、背面板３を、第１の折り線２を介して、載置面１ａが内部へ収納される方向（図８の矢印Ｈの方向）へ折り曲げて、面ファスナー４１ａと面ファスナー４１ｂ、及び面ファスナー４２ａと面ファスナー４２ｂを剥離させる。この剥離によって、背面板３と底板５は互いに分離される。
【００７０】
図９には、側面板７及び側面板９が、底板５及び背面板３から分離され、さらに、背面板３が底板５から分離された様子が示されている。
【００７１】
そして、図９に示すように、背面板３を、第１の折り線２を介して、載置面１ａが内部へ収納される方向（図９の矢印Ｉの方向）へ折り曲げる。そして、底板５を、第２の折り線４を介して、載置面１ａが内部へ収納される方向（図９の矢印Ｉの方向）へ折り曲げる。
【００７２】
そして、図１０に示すように、載置面１ａに広告パネル７０及び商品１００を載置する。
【００７３】
そして、図１１に示すように、先に、側面板７（又は側面板９の何れが先、又は同時でも構わない）を、第３の折り線６及び第７の折り線１３を介して、載置面１ａが内部へ収納される方向へ折り曲げる（商品１００等が包み込まれるように折り曲げる）。次に、側面板９を、第４の折り線８及び第８の折り線１４を介して、載置面１ａが内部へ収納される方向へ折り曲げる。
【００７４】
次いで、折り込み片２５及び折り込み片２７を下部３ｂの表側に面接触するまで折り曲げつつ、背面板３を、第１の折り線２を介して、載置面１ａが内部へ収納される方向（図１１の矢印Ｊの方向）へ折り曲げる。
【００７５】
さらに、折り込み片３４及び折り込み片３６を、下部５ｂの表側に面接触するまで折り曲げつつ、底板５を、第２の折り線４を介して、載置面１ａが内部へ収納される方向（図１１の矢印Ｊの方向）へ折り曲げる。
【００７６】
そして、固定片２１及び固定片２３を背面板の表側に面接触するまで折り曲げつつ、背面板３を、第５の折り線１０を介して、載置面１ａが内部へ収納される方向へ折り曲げる。
【００７７】
さらに、固定片３０及び固定片３２を底板５の表側に面接触するまで折り曲げつつ、底板５を、第６の折り線１１を介して、載置面１ａが内部へ収納される方向へ折り曲げる。
【００７８】
なお、背面板３、底板５、側面板７及び側面板９を折り曲げる順序は、上記に限定されない。同時に折り曲げてもよい。
【００７９】
最後に、背面板３に固定された面ファスナー４１ｃと固定片２８に固定された面ファスナー４１ｂを、背面板３に固定された面ファスナー４２ｃと固定片２８に固定された面ファスナー４２ｂを、それぞれ連結する。
【００８０】
以上の手順により、包装箱Ｓ１を展示状態から収納状態へ転換させることができる。なお、展示状態から収納状態への転換の手順は上述した例に限定されず、任意に行うことができる。
【００８１】
このように、本実施形態における包装箱Ｓ１は、展示状態から収納状態へ、又は収納状態から展示状態へと繰り返し転換自在となっている。
【００８２】
以上説明したように、本実施形態における包装箱Ｓ１は、商品１００が載置される載置面１ａを有する載置板１の対向する一対の辺を折り線２、４として、この折り線２、４を介して折り曲げ自在にそれぞれ連接された背面板３及び底板５と、他の対向する一対の辺を折り線６、８として、この折り線６、８を介して折り曲げ自在にそれぞれ連接された側面板７、９と、背面板３、底板５、及び側面板７、９が所定の位置に折り曲げられた状態で、脱着自在に連結する面ファスナー４１ａ〜４６ａ、４１ｂ〜４６ｂと、を備える包装箱Ｓ１であって、載置面１ａが外部へ露出する方向に、背面板３、底板５、及び側面板７、９を折り曲げ、載置板１を斜面とする略三角形状となる位置で面ファスナー４１ａ〜４６ａ、４１ｂ〜４６ｂによって連結する展示状態と、載置面１ａが内部へ収納される方向に、背面板３、底板５、及び側面板７、９を折り曲げ、背面板３、底板５、側面板７及び側面板９が、略矩形の箱形状を示す位置で面ファスナー４１ａ〜４６ａ、４１ｂ〜４６ｂによって連結する収納状態と、を転換自在とするように構成したため、一の包装箱において、商品が収納される収納状態と、商品が展示される展示状態を繰り返して使用することができる。
【００８３】
また、商品１００が載置される載置面１ａと、少なくとも４辺を有する載置板１の１つの辺を第１の折り線２とし、この第１の折り線２を介して折り曲げ自在に連接される背面板３と、第１の折り線２と対向する辺を第２の折り線４とし、この第２の折り線４を介して折り曲げ自在に連接される底板５と、残りの一対の互いに対向する辺をそれぞれ第３の折り線６及び第４の折り線８とし、この第３の折り線６及び第４の折り線８を介して折り曲げ自在にそれぞれ連接される側面板７、９と、背面板３、底板５、及び側面板７、９が所定の位置に折り曲げられた状態で、背面板３、底板５、及び側面板７、９を脱着自在に連結する連結手段４１ａ〜４６ａ、４１ｂ〜４６ｂと、を備える包装箱Ｓ１であって、載置面１ａが外部へ露出される方向へ、第１の折り線２乃至第４の折り線８を介して、背面板３、底板５、及び側面板７、９を折り曲げ、連結手段４１ａ〜４６ａ、４１ｂ〜４６ｂによって連結する展示状態と、背面板３を折り曲げる第５の折り線１０と、底板５を折り曲げる第６の折り線１１と、側面板７、９をそれぞれ折り曲げる第７の折り線１３及び第８の折り線１４と、がそれぞれ形成され、載置面１ａが内部へ収納される方向へ、第１の折り線２乃至第８の折り線１４を介して、背面板３、底板５、及び側面板７、９を折り曲げ、連結手段４１ａ〜４６ａ、４１ｂ〜４６ｂによって連結する収納状態と、を転換自在とするように構成したため、一の包装箱において、商品が収納される収納状態と、商品が展示される展示状態を繰り返して使用することができる。
【００８４】
［４.他の実施例］
なお、以上説明した実施形態は特許請求の範囲にかかる発明を限定するものではない。そして、上記実施形態の中で説明されている構成の組み合わせすべてが発明の課題解決に必須の手段であるとは限らない。
【００８５】
具体的には、包装箱Ｓ１の材質は、載置される商品の重量及び外形に応じて適宜変更することができる。例えば、大型の商品が載置される場合には、包装箱Ｓ１の材質として、Ａ、Ｂフルート段ボールを適用するようにしてもよく、小型の商品が載置される場合にはＥフルート段ボールを適用するようにしてもよい。さらに、商品の重量及び外形に応じて、紙、上質紙やＰＥＴ材等の薄型樹脂製板材等の折り曲げ自在の板状の部材を適用するようにしてもよい。
【００８６】
また、図１及び図２に示す例では、審美性向上等の観点から、載置面１aにアクリル板１ｂ（アクリル樹脂製の透明板材）を固定する構成を適用しているが、これに限定されず、例えば、載置面１ａにいわゆる化粧（化粧加工）を施すようにしてもよい。
【００８７】
化粧の一例としては、フレキソ印刷、オフセット印刷、又はグラビア印刷等種々の印刷方式を適用することができる。また、このように印刷されたものにコルゲート加工又はラミネート加工等を施し、さらに審美性を向上させるようにしてもよい。
【００８８】
また、包装箱Ｓ１では商品１００を係止するために凸部２００等を備えるように構成したが、凸部２００等を備えず、載置面１ａに滑り止め加工を施すようにしてもよい。この滑り止め加工の一例としては、例えば、載置面１ａに滑り止め用インキ（例えば、紫外線硬化型インキを原料とするもの等）を用いて印刷するようにしてもよい。
【００８９】
また、上述した例では、収納状態において商品１００及び広告パネル７０を収納するようにしたが、これに限定されず、パンフレット、その他販促品等、任意のものを収納するようにしてもよい。
【００９０】
また、第１の折り線２〜第８の折り線１４は、載置板１、背面板３、底板５、側面板７及び側面板９を、それぞれ折り曲げ自在に連結したものでよい。例えば、板状の部材からそれぞれ個別に打ち抜かれた載置板１、背面板３、底板５、側面板７及び側面板９（即ち、載置板１、背面板３、底板５、側面板７及び側面板９が分離している）を、テープ等で接合して連結するようにしてもよい。
【００９１】
また、展示状態における載置面１ａと設置面がなす角度は、任意に設定することができる。例えば、背面板３の長さ（高さ。図３における垂直方向の距離）を変更することにより、この角度を任意に設定することができる。これにより、異なる角度で商品を展示することができるため、展示状態の多様性を図り、需要者の注意を喚起し、販売促進効果を向上させることができる。
【００９２】
また、本実施形態では、連結手段の一例として面ファスナーを適用したが、例えば、挿入片と挿入穴から構成される勘合部を適用するようにしてもよい。
【００９３】
ここで、包装箱Ｓ２の連結手段として勘合部を適用した場合について、図１２を用いて説明する。
【００９４】
図１２は、包装箱Ｓ２の連結手段として勘合部を適用した場合のブランクを示す図である。
【００９５】
なお、前述した図３（包装箱Ｓ１のブランク）と同様の機能を果たす部分には、同一の符号を付して、重複する説明を省略する。
【００９６】
図１２に示すように、包装箱Ｓ２の側面板７には挿入片９５ａ及び挿入片９６ａが、側面板９には挿入片９３ａ及び挿入片９４ａが、固定片２８には挿入片９１ａ及び挿入片９２ａが、それぞれ形成される。この挿入片と挿入穴は、勘合部として機能する。
【００９７】
この挿入片について、挿入片９１ａを例に説明する。挿入片９１ａは、略円弧状の凸部の両端部に略Ｌ字型の狭窄部９１ａ−１及び９１ａ−２を有し、折り線９１ａ−３を介して背面板３と連接されている。そして、挿入片は、挿入片の実線部分（挿入片９１ａ、狭窄部９１ａ−１及び９１ａ−２）で示す形状が打ち抜かれて形成される。
【００９８】
なお、図１３に示す挿入片はすべて同一形状を示し、９１〜９６の部材番号にａを付して記すこととする。
【００９９】
また、背面板３には挿入穴９１ｂ、挿入穴９１ｃ、挿入穴９２ｂ、及び挿入穴９２ｃが、固定片２１には挿入穴９３ｂが、固定片２３には挿入穴９５ｂが、固定片３０には挿入穴９４ｂが、固定片３２には挿入穴９６ｂが、それぞれ形成される。
【０１００】
この挿入穴について、挿入穴９１ｂを例に説明する。挿入穴９１ｂは、挿入片９１ａが挿入されるスリット状の穴であり、挿入穴９１ｂの実線部分で示す形状が打ち抜かれて形成される。挿入穴９１ｂは、コの字型の開口部側両端部に直線部９１ｂ−１及び９１ｂ−２を接続した形状に形成される。なお、図１２に示す挿入穴はすべて同一形状を示し、９１〜９６の部材番号にｂ又はｃを付して記すこととする。
【０１０１】
また、包装箱Ｓ２では、挿入片は、予め定められた挿入穴へ挿入されるようになっており、このような関係にある挿入片及び挿入穴には、それぞれ同一の数字を付した部材番号で示すこととする。例えば、図１２に示す例では、挿入片９１ａは、挿入穴９１ｂに挿入されることを意味する。
【０１０２】
この挿入片（例えば、挿入片９１ａ）が挿入穴（例えば、挿入穴９１ｂ）に挿入されると、挿入片９１ａの狭窄部９１ａ−１及び狭窄部９１ａ−２と直線部９１ｂ−１及び直線部９１ｂ−２が互いに嵌着する。
【０１０３】
このようにして、上述した面ファスナーと同様、背面板３、底板５、及び側面板７、９を連結することができる。
【０１０４】
なお、包装箱Ｓ２における展示状態から収納状態（又は、収納状態から展示状態）へ転換する方法は、上述した包装箱Ｓ１における展示状態から収納状態（又は、収納状態から展示状態）へ転換する方法と同様であるため、詳しい説明は省略する。
【０１０５】
さらに連結手段としては、これに限定されず、両面テープ、接着剤、釦等を適用してもよい。
【０１０６】
また、上述した展示状態における包装箱Ｓ１は、載置板１を斜辺、背面板３を側面、底板５を底辺とする断面略三角形状を示しているが、これに限定されない。例えば、載置板１を斜辺、底板５の下部５ｂを上底、背面板３を下底、底板５の上部５ａを底面とする断面略台形を示すようにしてもよい。
【０１０７】
ここで、断面略台形を示す包装箱Ｓ３について図１３を用いて説明する。
【０１０８】
図１３は、断面略台形を示す包装箱Ｓ３を示す斜視図である。
【０１０９】
図１３に示すように、包装箱Ｓ３は、展示状態を示し、さらに載置板１を斜辺、底板５の下部５ｂを上底、背面板３を下底、底板５の上部５ａを底面とする断面略台形を示している。
【０１１０】
包装箱Ｓ３における展示状態では、載置面１ａが外部へ露出される方向へ、第１の折り線２乃至第４の折り線８、及び第６の折り線１１を介して、背面板３、底板５、及び側面板３００、３０１が折り曲げられ、連結手段４１ａ〜４６ａ、４１ｂ〜４６ｂによって連結されている。
【０１１１】
なお、側面板３００及び側面板３０１の外形は、下部５ｂの長さ（鉛直方向の長さ）に合わせて適宜設定される。
【符号の説明】
【０１１２】
１        載置板
１ａ      載置面
１ｂ      アクリル板
２        第１の折り線
３        背面板
３ａ      上部
３ｂ      下部
４        第２の折り線
５        底板
５ａ      上部
５ｂ      下部
６        第３の折り線
７        側面板
７ａ      上部
７ｂ      下部
８        第４の折り線
９        側面板
９ａ      上部
９ｂ      下部
１０      第５の折り線
１１      第６の折り線
１２      折り線
１３      第７の折り線
１４      第８の折り線
２０      折り線
２１      固定片
２２      折り線
２３      固定片
２４      折り線
２５      折り込み片
２６      折り線
２７      折り込み片
２８      固定片
２９      折り線
３０      固定片
３１      折り線
３２      固定片
３３      折り線
３４      折り込み片
３５      折り線
３６      折り込み片
４１ａ    面ファスナー
４１ｂ    面ファスナー
４１ｃ    面ファスナー
４２ａ    面ファスナー
４２ｂ    面ファスナー
４２ｃ    面ファスナー
４３ａ    面ファスナー
４３ｂ    面ファスナー
４４ａ    面ファスナー
４４ｂ    面ファスナー
４５ａ    面ファスナー
４５ｂ    面ファスナー
４６ａ    面ファスナー
４６ｂ    面ファスナー
７０      広告パネル
１００    商品
２００    凸部
２０１    凸部
Ｓ１      包装箱
Ｓ２      包装箱
Ｓ３      包装箱
【図１】
0005845596.tif 000002
【図２】
0005845596.tif 000003
【図３】
0005845596.tif 000004
【図４】
0005845596.tif 000005
【図５】
0005845596.tif 000006
【図６】
0005845596.tif 000007
【図７】
0005845596.tif 000008
【図８】
0005845596.tif 000009
【図９】
0005845596.tif 000010
【図１０】
0005845596.tif 000011
【図１１】
0005845596.tif 000012
【図１２】
0005845596.tif 000013
【図１３】
0005845596.tif 000014